(57)【要約】【課題】  複数の表示装置の設定を一括して変更する際に、不具合を生じ得る。【解決手段】  本発明の表示システムは、少なくとも第１及び第２の表示装置を備え、前記第１の表示装置は、制御コマンドを受信する第１の受信部と、調整項目を選択する第１の制御部と、前記制御コマンドと、選択した調整項目を示す第１の項目情報と、を出力する第１の出力部と、を備え、前記第２の表示装置は、前記制御コマンドと、前記第１の項目情報と、が入力される第２の入力部と、調整項目を選択する第２の制御部と、を備え、前記第２の制御部は、前記第１の項目情報が示す第２の調整項目を選択できる場合において、前記制御コマンドが移動コマンドであるときは前記第２の調整項目を選択し、前記移動コマンドでないときは前記制御コマンドを実行し、前記第２の調整項目を選択できない場合、前記制御コマンドを実行しない。【選択図】      図１
2016133532.tif 000002
【特許請求の範囲】
【請求項１】
少なくとも第１の表示装置及び第２の表示装置を備えた表示システムであって、
前記第１の表示装置は、
制御コマンドを受信する第１の受信部と、
前記第１の表示装置が有する複数の調整項目のいずれかを選択する第１の制御部と、
前記制御コマンドと、前記第１の制御部が選択した調整項目を示す第１の項目情報と、を出力する第１の出力部と、
を備え、
前記第２の表示装置は、
前記制御コマンドと、前記第１の項目情報と、が前記第１の出力部から入力される第２の入力部と、
前記第２の表示装置が有する複数の調整項目のいずれかを選択する第２の制御部と、
を備え、
前記第２の制御部は、
前記第２の表示装置が有する複数の調整項目のうち、前記第１の項目情報が示す調整項目に相当する調整項目である第２の調整項目を選択できる場合において、前記制御コマンドが移動コマンドであるときは前記第２の調整項目を選択し、前記制御コマンドが前記移動コマンドでないときは前記制御コマンドを実行し、
前記第２の調整項目を選択できない場合、前記制御コマンドを実行しない
表示システム。
【請求項２】
第３の表示装置をさらに備え、
前記第２の表示装置は、前記制御コマンドと、前記第１の項目情報と、を出力する第２の出力部をさらに備え、
前記第３の表示装置は、前記制御コマンドと、前記第１の項目情報と、が前記第２の出力部から入力される第３の入力部を備える、
請求項１に記載の表示システム。
【請求項３】
前記第３の表示装置は、
前記第３の表示装置が有する複数の調整項目のいずれかを選択する第３の制御部をさらに備え、
前記第３の制御部は、
前記第３の表示装置が有する複数の調整項目のうち、前記第１の項目情報が示す調整項目に相当する調整項目である第３の調整項目を選択できる場合において、前記制御コマンドが移動コマンドであるときは前記第３の調整項目を選択し、前記制御コマンドが前記移動コマンドでないときは前記制御コマンドを実行し、
前記第３の調整項目を選択できない場合、前記制御コマンドを実行しない、
請求項２に記載の表示システム。
【請求項４】
前記第１の表示装置は、画像を表示する表示部をさらに備え、
前記第１の出力部は、前記第１の表示装置が有する調整項目を前記表示部が表示していない場合、前記制御コマンドと、前記第１の項目情報と、を出力しない
請求項１から３のいずれかに記載の表示システム。
【請求項５】
前記第１の表示装置が有する複数の調整項目は、それぞれ固有の識別情報を有し、
前記第１の項目情報は、前記第１の制御部が選択した調整項目の有する前記識別情報である、
請求項１から４のいずれかに記載の表示システム。
【請求項６】
前記第１の受信部は、赤外線を介して前記制御コードを受信する、
請求項１から５のいずれかに記載の表示システム。
【請求項７】
前記第１の表示装置は、画像信号が入力される第１の画像入力部と、前記画像信号を出力する第１の画像出力部と、をさらに備え、
前記第２の表示装置は、前記第１の画像出力部から前記画像信号が入力される第２の画像入力部と、前記画像信号を出力する第２の画像出力部と、をさらに備え、
前記第３の表示装置は、前記第２の画像出力部から前記画像信号が入力される第３の画像入力部をさらに備える、
請求項２又は３に記載の表示システム。
【請求項８】
前記第１の表示装置は、
前記第１の表示装置が有する複数の調整項目の設定に基づいて前記画像信号の画像処理を行う第１の画像処理部をさらに備え、
前記表示部は、前記画像処理を行った画像を表示する、
請求項７に記載の表示システム。
【請求項９】
制御コマンドと、複数の調整項目のいずれかを示す項目情報と、が入力される入力部と、
前記複数の調整項目のいずれかを選択する制御部と、
を備え、
前記制御部は、
前記項目情報が示す調整項目である指定調整項目を選択できる場合において、前記制御コマンドが移動コマンドであるときは前記指定調整項目を選択し、前記制御コマンドが前記移動コマンドでないときは前記制御コマンドを実行し、
前記指定調整項目を選択できない場合、前記制御コマンドを実行しない
表示装置。
【請求項１０】
制御コマンドと、複数の調整項目のいずれかを示す項目情報と、が入力される工程と、
前記項目情報が示す調整項目である指定調整項目を選択できる場合において、前記制御コマンドが前記移動コマンドであるときは前記指定調整項目を選択し、前記制御コマンドが前記移動コマンドでないときは前記制御コマンドを実行し、
前記指定調整項目を選択できない場合、前記制御コマンドを実行しない工程と、
を有する表示装置の制御方法。
【発明の詳細な説明】
【技術分野】
【０００１】
本発明は、表示システム、表示装置、制御方法に関する。
【背景技術】
【０００２】
近年、複数の表示装置を近接して配置させた表示システムが増加している。表示システムにおいては、全体で１つの画像を表示すること等が可能である。
【０００３】
このような表示システムを使用する際に、表示システムを構成する複数の表示装置の設定を一括して変更したい場合がある。例えば、特許文献１には、複数の画像表示装置を一括して操作できる画像表示システムが記載されている。
【先行技術文献】
【特許文献】
【０００４】
【特許文献１】特開２０１１−１３３６０２
【発明の概要】
【発明が解決しようとする課題】
【０００５】
表示装置は複数の調整項目を有する。また、表示装置へのケーブルの接続状態等により、表示装置の調整において、複数の調整項目のいずれかが無効となり、選択できない場合がある。表示システムにおいて、選択できない調整項目が表示装置間において異なっているような場合には、複数の表示装置の設定を一括して変更する上で不具合を生じ得る、という課題がある。不具合の例としては、表示装置毎に異なった調整項目が選択され、意図した調整を行えないことが挙げられる。
【０００６】
本発明の目的は、上述した課題を解決する表示システム、表示装置、制御方法を提供することにある。
【課題を解決するための手段】
【０００７】
上記目的を達成するため、本発明における表示システムは、少なくとも第１の表示装置及び第２の表示装置を備えた表示システムであって、前記第１の表示装置は、制御コマンドを受信する第１の受信部と、前記第１の表示装置が有する複数の調整項目のいずれかを選択する第１の制御部と、前記制御コマンドと、前記第１の制御部が選択した調整項目を示す第１の項目情報と、を出力する第１の出力部と、を備え、前記第２の表示装置は、前記制御コマンドと、前記第１の項目情報と、が前記第１の出力部から入力される第２の入力部と、前記第２の表示装置が有する複数の調整項目のいずれかを選択する第２の制御部と、を備え、前記第２の制御部は、前記第２の表示装置が有する複数の調整項目のうち、前記第１の項目情報が示す調整項目に相当する調整項目である第２の調整項目を選択できる場合において、前記制御コマンドが移動コマンドであるときは前記第２の調整項目を選択し、前記制御コマンドが前記移動コマンドでないときは前記制御コマンドを実行し、前記第２の調整項目を選択できない場合、前記制御コマンドを実行しない。
【０００８】
上記目的を達成するため、本発明における表示装置は、制御コマンドと、複数の調整項目のいずれかを示す項目情報と、が入力される入力部と、前記複数の調整項目のいずれかを選択する制御部と、を備え、前記制御部は、前記項目情報が示す調整項目である指定調整項目を選択できる場合において、前記制御コマンドが移動コマンドであるときは前記指定調整項目を選択し、前記制御コマンドが前記移動コマンドでないときは前記制御コマンドを実行し、前記指定調整項目を選択できない場合、前記制御コマンドを実行しない。
【０００９】
上記目的を達成するため、本発明における制御方法は、制御コマンドと、複数の調整項目のいずれかを示す項目情報と、が入力される工程と、前記項目情報が示す調整項目である指定調整項目を選択できる場合において、前記制御コマンドが前記移動コマンドであるときは前記指定調整項目を選択し、前記制御コマンドが前記移動コマンドでないときは前記制御コマンドを実行し、前記指定調整項目を選択できない場合、前記制御コマンドを実行しない工程と、を有する。
【発明の効果】
【００１０】
本発明によれば、表示システムにおいて、選択できない調整項目が表示装置間において異なっている場合において、複数の表示装置の設定を一括して変更する上で生じ得る不具合を解消することができる。
【図面の簡単な説明】
【００１１】
【図１】本発明の第１実施形態に係る表示システムのブロック図である。
【図２】本発明の第１実施形態に係る表示装置における、制御方法のフローチャートである。
【図３】本発明の第１実施形態に係る表示装置における、制御方法のフローチャートである。
【図４】本発明の第１実施形態に係る表示システムの外観図である。（ａ）は、表示システム全体の外観図である。（ｂ）は、リモートコントロール装置の外観図である。
【図５】本発明の第１実施形態に係る表示システムの第１の動作例を示す図である。
【図６】本発明の第１実施形態に係る表示システムの第２の動作例を示す図である。
【図７】本発明の第２実施形態に係る表示装置のブロック図である。
【発明を実施するための形態】
【００１２】
以下、本発明の実施形態について図面を用いて説明する。
【００１３】
＜第１実施形態＞
まず、本発明の第１実施形態に係る表示システム１のブロック図を図１に示す。
【００１４】
表示システム１は、表示装置１００、表示装置２００、表示装置３００、リモートコントロール装置４００、画像出力装置５００により構成される。
【００１５】
表示装置１００（第１の表示装置）、表示装置２００（第２の表示装置）、表示装置３００（第３の表示装置）は、いずれも同様の構成を有している。このため、表示装置１００の構成を以下に説明し、表示装置２００，３００の構成の説明は省略する。
【００１６】
表示装置１００（第１の表示装置）は、受信部１１０（第１の受信部）、入力部１２０（第１の入力部）、出力部１３０（第１の出力部）、制御部１４０（第１の制御部）、画像入力部１５０（第１の画像入力部）、画像処理部１６０（第１の画像処理部）、表示部１７０（第１の表示部）、画像出力部１８０（第１の画像出力部）により構成される。
【００１７】
受信部１１０（第１の受信部）は、リモートコントロール装置４００から制御コマンドを受信する。リモートコントロール装置４００は、赤外線等の無線又は有線で制御コマンドに係る信号を送信する。例えば、リモートコントロール装置４００が赤外線で制御コマンドを送信する場合には、受信部１１０は赤外線受光部である。また、赤外線受光部が表示装置１００に内蔵されていない場合には、受信部１１０は、表示装置１００の外部に設けた赤外線受光部から有線等で制御コマンドを受信してもよい。制御コマンドは、表示装置の設定の変更に用いられるコマンドである。また、制御コマンドの種類として、例えば、移動コマンド、調整コマンドが存在する。
【００１８】
入力部１２０（第１の入力部）には、通信制御に用いる信号が入力される。また、出力部１３０は、通信制御に用いる信号を出力する。入力部１２０及び出力部１３０としては、例えば、ＬＡＮ（Ｌｏｃａｌ  Ａｒｅａ  Ｎｅｔｗｏｒｋ）やＲＳ−２３２Ｃ（Ｒｅｃｏｍｅｎｄｅｄ  Ｓｔａｎｄａｒｄ  ２３２Ｃ）が用いられる。
【００１９】
制御部１４０（第１の制御部）は、受信部１１０が受信した制御コマンド又は入力部１２０に入力された制御コマンドにしたがって、表示装置１００の設定を変更する。表示装置１００は、複数の調整項目を有している。制御部１４０は、制御コマンドにしたがって、複数の調整項目の設定を変更する。また、調整項目を示す情報として、項目情報が用いられる。なお、複数の調整項目がそれぞれ固有の識別情報を有している場合には、識別情報は項目情報として用いられる。
【００２０】
画像入力部１５０（第１の画像入力部）には、画像出力装置５００の出力した画像信号が入力される。画像出力装置５００が出力する画像信号は、例えば、表示ケーブルにより伝送され、画像入力部１５０に入力される。
【００２１】
画像処理部１６０（第１の画像処理部）は、画像入力部１５０に入力された画像信号に基づいた画像の画像処理を行う。より具体的には、画像処理部１６０は、制御部１４０によって変更された調整項目の設定（表示装置１００の設定）に基づいて、画像信号に基づいた画像の画像処理を行う。画像処理は、輝度や色等の画質調整や解像度変換等を行う信号処理である。また、制御部１４０からＯＳＤ（Ｏｎ  Ｓｃｒｅｅｎ  Ｄｉｓｐｌａｙ）を表示する旨の指示を受けつけると、画像処理部１６０は、表示部１７０にＯＳＤ画像を表示させる画像を生成する。つまり、画像処理部１６０は、画像信号に基づいた画像及びＯＳＤ画像を合成した画像を生成する。
【００２２】
表示部１７０（第１の表示部）は、画像処理部１６０から受け取った画像を表示する。表示部１７０は、例えば、液晶パネル、有機ＥＬ（Ｅｌｅｃｔｒｏ  Ｌｕｍｉｎｅｓｃｅｎｃｅ）パネル、プラズマディスプレイパネル等である。
【００２３】
画像出力部１８０（第１の画像出力部）は、画像入力部１５０に入力された画像信号と同じ画像信号を出力する。例えば、画像出力部１８０は、画像入力部１５０に入力された画像信号を複製し、複製した画像信号を出力する。
【００２４】
表示システム１において、表示装置１００，２００，３００は、ＬＡＮケーブル又はＲＳ−２３２Ｃケーブルがデイジーチェーンで接続されている。その結果、出力部１３０（第１の出力部）が出力する信号は、入力部２２０（第２の入力部）に入力される。さらに、出力部２３０（第２の出力部）が出力する信号は、入力部３２０（第３の入力部）に入力される。
【００２５】
また、表示システム１において、表示装置１００，２００，３００は、表示ケーブルもデイジーチェーンで接続されている。その結果、画像出力部１８０（第１の画像出力部）が出力する画像信号は、画像入力部２２０（第２の画像入力部）に入力される。さらに、画像出力部２３０（第２の画像出力部）が出力する画像信号は、画像入力部３２０（第３の画像入力部）に入力される。
【００２６】
なお、入力部１２０、受信部２１０，３１０は、以下の説明においては、使用しない。このため、以下の説明は、入力部１２０、受信部２１０，３１０の機能が無効にされているものとして理解してもよい。または、入力部１２０、受信部２１０，３１０を備えていない構成としてもよい。
【００２７】
次に、表示装置１００（第１の表示装置）における制御方法のフローチャートを図２に示す。
【００２８】
図２のフローチャートの開始において、表示装置１００は、リモートコントロール装置４００により設定を変更できる状態にあるものとする。設定を変更できる状態とは、例えば、表示部１７０にＯＳＤ画像が表示されている状態である。
【００２９】
表示装置１００は、制御コマンドを受信する（ステップＳ２１）。具体的には、受信部１１０が、リモートコントロール装置４００から制御コマンドを受信する。
【００３０】
そして、表示装置１００は、制御コマンドを実行する（ステップＳ２２）。具体的には、制御部１４０は、制御コマンドを実行する。
【００３１】
次に、表示装置１００は、制御コマンド及び項目情報を出力する（ステップＳ２３）。具体的には、出力部１３０は、受信部１１０が受信した制御コマンド、及び選択された調整項目を示す項目情報（第１の項目情報）を出力する。
【００３２】
次に、表示装置２００（第２の表示装置）及び表示装置３００（第３の表示装置）における制御方法のフローチャートを図３に示す。表示装置２００における制御方法と、表示装置３００における制御方法は同じである。このため、以下では表示装置２００における制御方法について説明し、表示装置３００における制御方法についての説明は省略する。
【００３３】
図３のフローチャートの開始において、表示装置２００は、設定を変更できる状態にあるものとする。設定を変更できる状態とは、例えば、表示部２７０にＯＳＤ画像が表示されている状態である。
【００３４】
表示装置２００には、制御コマンド及び項目情報が入力される（ステップＳ３１）。具体的には、入力部２２０（第２の入力部）に、出力部１３０（第１の出力部）が出力した制御コマンド及び項目情報（第１の項目情報）が入力される。
【００３５】
続いて、表示装置２００は、項目情報の示す調整項目を選択できるか否かを判定する（ステップＳ３２）。具体的には、制御部２４０は、表示装置２００が有する調整項目のうち、項目情報（第１の項目情報）の示す調整項目に相当する調整項目（第２の調整項目）を選択できるか否かを判定する。
【００３６】
Ｓ３２において選択できると判定した場合には（ステップＳ３２−ＹＥＳ）、表示装置２００は、制御コマンドが移動コマンドであるか否かを判定する（ステップＳ３３）。具体的には、制御部２４０は、制御コマンドが移動コマンドであるか否かを判定する。
【００３７】
一方、Ｓ３２において選択できないと判定した場合には、後述するＳ３６を行う。
【００３８】
Ｓ３３において移動コマンドであると判定した場合には（ステップＳ３３−ＹＥＳ）、表示装置２００は、項目情報の示す調整項目を選択する（ステップＳ３４）。具体的には、制御部２４０は、項目情報（第１の項目情報）の示す調整項目に相当する調整項目（第２の調整項目）を選択する。
【００３９】
Ｓ３３において移動コマンドではないと判定した場合には（ステップＳ３３−ＮＯ）、表示装置２００は、制御コマンドを実行する（ステップＳ３５）。具体的には、制御部２４０は、制御コマンドを実行する。
【００４０】
Ｓ３４又はＳ３５を実行した後には、表示装置２００は制御コマンド、項目情報を出力する（ステップＳ３６）。また、上記のように、Ｓ３２において選択できないと判定した場合にも、Ｓ３６を行う。具体的には、出力部２３０（第２の出力部）は、入力部２２０に入力された制御コマンド及び項目情報（第１の項目情報）と同じ制御コマンド及び項目情報（第１の項目情報）を出力する。
【００４１】
表示システム１及びリモートコントロール装置４００の外観図を図４に示す。
【００４２】
図４（ａ）は、表示システム１の外観図である。表示システム１を構成する表示装置１００，２００，３００には、それぞれＯＳＤ１０００，２０００，３０００が表示されている。表示装置１００の受信部１１０（第１の受信部）は、リモートコントロール装置４００から制御コマンドを受信する。また、表示装置２００には、表示装置１００が出力した制御コマンド及び項目情報が入力される。さらに、表示装置３００には、表示装置２００が出力した制御コマンド及び項目情報が入力される。
【００４３】
図４（ｂ）は、リモートコントロール装置４００の外観図である。リモートコントロール装置４００には、パワーボタン４０１、アップボタン４０２、マイナスボタン４０３、プラスボタン４０４、ダウンボタン４０５、セットボタン４０６、メニューボタン４０７、ＥＸＩＴボタン４０８が設けられている。
【００４４】
これらのボタンを押すと、リモートコントロール装置４００は、ボタンに対応する制御コマンドを送信する。パワーボタン４０１には、表示装置の電源をオンにする制御コマンドが対応付けられている。メニューボタン４０７には、ＯＳＤ画面をオン／オフする制御コマンドが対応付けられている。ＥＸＩＴコマンド４０８には、ひとつ前のＯＳＤ画面に戻る制御コマンドが対応付けられている。アップボタン４０２及びダウンボタン４０５には、ＯＳＤ画面の調整項目の選択等を行う制御コマンドが対応付けられている。マイナスボタン４０３及びプラスボタン４０４には、ＯＳＤ画面で選択した調整項目の調整等に対応する制御コマンドが対応付けられている。セットボタン４０６には、ＯＳＤ画面で調整した内容を決定する制御コマンドが対応付けられている。
【００４５】
これらの制御コマンドのうち、アップボタン４０２及びダウンボタン４０５に対応付けられた制御コマンドは、移動コマンドである。また、マイナスボタン４０３及びプラスボタン４０５に対応付けられた制御コマンドは、調整コマンドであり、移動コマンドではないものとする。
【００４６】
表示システム１の第１の動作例を図５に示す。
【００４７】
図５には、ＯＳＤ１０００，２０００，３０００のみを示している。これらは、図４（ａ）のように、表示装置１００，２００，３００にそれぞれ表示されているものとする。
【００４８】
ＯＳＤ１０００には、調整項目１１００、１２００、１３００、１４００が表示されている。図５（ａ）においては、調整項目１１００が選択されている。選択されていることを示すため、便宜的に、調整項目１１００の線を太く示している。選択されていることを示すには、例えば、選択された調整項目全体の色を変更してもよい。また、表示装置１００において、調整項目１１００，１２００，１３００，１４００は、いずれも選択可能であるものとする。
【００４９】
ＯＳＤ２０００には、調整項目２１００，２２００，２３００，２４００が表示されている。図５（ａ）においては、調整項目２１００が選択されている。また、表示装置２００において、調整項目２１００，２２００，２４００は選択可能であるが、調整項目２３００は選択できないものとする。
【００５０】
ＯＳＤ３０００には、調整項目３１００，３２００，３３００，３４００が表示されている。図５（ａ）においては、調整項目３１００が選択されている。また、表示装置３００において、調整項目３１００，３２００，３４００は選択可能であるが、調整項目３３００は選択できないものとする。
【００５１】
このように、表示装置１００，２００，３００はいずれも、複数の調整項目を有している。表示装置１００における調整項目１１００は、表示装置２００における調整項目２１００、表示装置３００における調整項目３１００に相当するものとする。同様に、調整項目１２００は、調整項目２２００，３２００に相当するものとする。また、調整項目１３００は、調整項目２３００，３３００に相当するものとする。さらに、調整項目１４００は、調整項目２４００，３４００に相当するものとする。
【００５２】
また、表示装置１００と表示装置２００において、選択できない調整項目は異なっている。さらに、表示装置１００と表示装置３００においても、選択できない調整項目は異なっている。つまり、表示システム１を構成する複数の表示装置間において、選択できない調整項目が異なっている。
【００５３】
以上を踏まえ、動作例１−１、１−２、１−３、１−４、１−５について、以下、順に説明する。
（動作例１−１）
図５（ａ）の状態において、リモートコントロール装置４００のダウンボタン４０５が押されたとする。すると、ダウンボタン４０５に対応する制御コマンドが送信される。この制御コマンドは、選択された調整項目の下に表示された調整項目を選択する旨を示す移動コマンドである。
【００５４】
表示装置１００は、この制御コマンドを受信する（ステップＳ２１）。そして、表示装置１００は、制御コマンドを実行する（ステップＳ２２）。その結果、図５（ｂ）に示すように、調整項目１１００の下に表示された調整項目１２００が選択される。さらに、表示装置１００は、制御コマンド及び項目情報を出力する（ステップＳ２３）。ここで、項目情報は、調整項目１２００を示す情報である。
【００５５】
表示装置１００が出力した制御コマンド及び項目情報は、表示装置２００に入力される（ステップＳ３１）。そして、表示装置２００は、項目情報の示す調整項目を選択できるか否かを判定する（ステップＳ３２）。つまり、調整項目１２００に相当する調整項目２２００を選択できるか否かを判定する。この調整項目２２００は選択可能であるため（ステップＳ３２−ＹＥＳ）、次に、表示装置２００は、制御コマンドが移動コマンドであるか否かを判定する（ステップＳ３３）。上述のように、表示装置２００の受信した制御コマンドは移動コマンドであるため（ステップＳ３３−ＹＥＳ）、表示装置２００は、項目情報の示す調整項目を選択する（ステップＳ３４）。つまり、図５（ｂ）に示すように、調整項目２２００を選択する。そして、表示装置２００は、制御コマンド及び項目情報を出力する（ステップＳ３６）。ここで、項目情報は、調整項目１２００を示す情報である。
【００５６】
表示装置２００が出力した制御コマンド及び項目情報は、表示装置３００に入力される（ステップＳ３１）。そして、表示装置３００は、項目情報の示す調整項目を選択できるか否かを判定する（ステップＳ３２）。つまり、調整項目１２００に相当する調整項目３２００を選択できるか否かを判定する。この調整項目３２００は選択可能であるため（ステップＳ３２−ＹＥＳ）、次に、表示装置３００は、制御コマンドが移動コマンドであるか否かを判定する（ステップＳ３３）。上述のように、表示装置３００が受信した制御コマンドは移動コマンドであるため（ステップＳ３３−ＹＥＳ）、表示装置３００は、項目情報の示す調整項目を選択する（ステップＳ３４）。つまり、図５（ｂ）に示すように、調整項目３２００を選択する。このように、表示装置３００の動作は、表示装置２００の動作と同様である。そこで、以下では、表示装置３００の動作の説明については簡略して記載する。
（動作例１−２）
図５（ｂ）の状態において、マイナスボタン４０３又はプラスボタン４０４が押されたとする。すると、マイナスボタン４０３又はプラスボタン４０４に対応する制御コマンドが送信される。この制御コマンドは、選択された調整項目の調整を行う旨を示す調整コマンドであり、移動コマンドではない。
【００５７】
表示装置１００は、この制御コマンドを受信する（ステップＳ２１）。そして、表示装置１００は、制御コマンドを実行する（ステップＳ２２）。図示されないが、表示装置１００は、調整項目１２００の調整を行う。さらに、表示装置１００は、制御コマンド及び項目情報を出力する（ステップＳ２３）。ここで、項目情報は、調整項目１２００を示す情報である。
【００５８】
表示装置１００が出力した制御コマンド及び項目情報は、表示装置２００に入力される（ステップＳ３１）。そして、表示装置２００は、項目情報の示す調整項目を選択できるか否かを判定する（ステップＳ３２）。つまり、調整項目１２００に相当する調整項目２２００を選択できるか否かを判定する。この調整項目２２００は選択可能であるため（Ｓ３２−ＹＥＳ）、次に、表示装置２００は、制御コマンドが移動コマンドであるか否かを判定する（ステップＳ３３）。上述のように、表示装置２００の受信した制御コマンドは移動コマンドではないため（Ｓ３３−ＮＯ）、表示装置２００は、制御コマンドを実行する（ステップＳ３５）。つまり、表示装置２００は、調整項目２２００の調整を行う。さらに、表示装置２００は、制御コマンド及び項目情報を出力する（ステップＳ３６）。ここで、項目情報は、調整項目１２００を示す情報である。
【００５９】
表示装置２００が出力した制御コマンド及び調整項目は、表示装置３００に入力される（ステップＳ３１）。以下、表示装置２００における動作と同様に動作するため、説明を省略する。結果として、表示装置３００は、調整項目３２００の調整を行う。
（動作例１−３）
図５（ｂ）の状態において、さらにダウンボタン４０５が押されたとする。すると、ダウンボタン４０５に対応する制御コマンドが送信される。動作例１−１に記載したように、この制御コマンドは移動コマンドである。
【００６０】
表示装置１００は、この制御コマンドを受信する（ステップＳ２１）。そして、表示装置１００は、制御コマンドを実行する（ステップＳ２２）。その結果、図５（ｃ）に示すように、調整項目１３００が選択される。さらに、表示装置１００は、制御コマンド及び項目情報を出力する（ステップＳ２３）。ここで、項目情報は、調整項目１３００を示す情報である。
【００６１】
表示装置１００が出力した制御コマンド及び項目情報は、表示装置２００に入力される（ステップＳ３１）。そして、表示装置２００は、項目情報の示す調整項目を選択できるか否かを判定する（ステップＳ３２）。つまり、調整項目１３００に相当する調整項目２３００を選択できるか否かを判定する。この調整項目２３００は選択できない（ステップＳ３２−ＮＯ）。このため、表示装置２００において制御コマンドが実行されることはなく、図５（ｃ）に示すように、調整項目２２００が選択されたままである。そして、表示装置２００は、制御コマンド及び項目情報を出力する（ステップＳ３６）。ここで、項目情報は、調整項目１３００を示す情報である。
【００６２】
表示装置２００が出力した制御コマンド及び項目情報は、表示装置３００に入力される（ステップＳ３１）。以下、表示装置２００における動作と同様に動作するため、説明を省略する。結果として、表示装置３００においては、図５（ｃ）に示すように、調整項目３２００が選択されたままである。
（動作例１−４）
図５（ｃ）の状態において、マイナスボタン４０３又はプラスボタン４０４が押されたとする。すると、マイナスボタン４０３又はプラスボタン４０４に対応する制御コマンドが送信される。動作例１−２に記載したように、この制御コマンドは、移動コマンドではない。
【００６３】
表示装置１００は、この制御コマンドを受信する（ステップＳ２１）。そして、表示装置１００は、制御コマンドを実行する（ステップＳ２２）。図示されないが、表示装置１００は、調整項目１３００の調整を行う。さらに、表示装置１００は、制御コマンド及び項目情報を出力する（ステップＳ２３）。ここで、項目情報は、調整項目１３００を示す情報である。
【００６４】
表示装置１００が出力した制御コマンド及び項目情報は、表示装置２００に入力される（ステップＳ３１）。そして、表示装置２００は、項目情報の示す調整項目を選択できるか否かを判定する（ステップＳ３２）。つまり、調整項目１３００に相当する調整項目２３００を選択できるか否かを判定する。この調整項目２３００は選択できない（ステップＳ３２−ＮＯ）。このため、表示装置２００において、制御コマンドは実行されない。つまり、表示装置２００においては、図５（ｃ）に示すように、調整項目２２００が選択されたままであり、調整項目の調整は行われない。そして、表示装置２００は、制御コマンド及び項目情報を出力する（ステップＳ３６）。ここで、項目情報は、調整項目１３００を示す情報である。
【００６５】
表示装置２００が出力した制御コマンド及び項目情報は、表示装置３００に入力される（ステップＳ３１）。以下、表示装置２００における動作と同様に動作するため、説明を省略する。結果として、表示装置３００においては、図５（ｃ）に示すように、調整項目３２００が選択されたままであり、調整項目の調整は行われない。
（動作例１−５）
図５（ｃ）の状態において、さらにダウンボタン４０５が押されたとする。すると、ダウンボタン４０５に対応する制御コマンドが送信される。動作例１−１に記載したように、この制御コマンドは移動コマンドである。
【００６６】
表示装置１００は、この制御コマンドを受信する（ステップＳ２１）。以下、動作例１−１と同様に動作するため、説明を省略する。
【００６７】
結果として、図５（ｄ）に示すように、調整項目１４００，２４００，３４００が選択される。
【００６８】
表示システム１の第２の動作例を図６に示す。
【００６９】
図６には、図５と同様に、ＯＳＤ１０００，２０００，３０００のみを示している。これらは、図４（ａ）のように、表示装置１００，２００，３００にそれぞれ表示されているものとする。
【００７０】
第１の動作例との差異は、第２の動作例においては、調整項目１２００を選択できないことである。これを踏まえ、動作例２−１、２−２について、以下、順に説明する。
（動作例２−１）
図６（ａ）の状態において、ダウンボタン４０５が押されたとする。すると、ダウンボタン４０５に対応する制御コマンドが送信される。動作例１−１に記載したように、この制御コマンドは移動コマンドである。
【００７１】
表示装置１００は、この制御コマンドを受信する（ステップＳ２１）。そして、表示装置１００は、制御コマンドを実行する（ステップＳ２２）。ここで、調整項目１１００の下に表示された調整項目１２００は選択できず、さらに下に表示された調整項目１３００は選択可能である。このため、図６（ｂ）に示すように、調整項目１３００が選択される。さらに、表示装置１００は、制御コマンド及び項目情報を出力する（ステップＳ２３）。ここで、項目情報は、調整項目１３００を示す情報である。
【００７２】
表示装置１００が出力した制御コマンド及び項目情報は、表示装置２００に入力される（ステップＳ３１）。以下、動作例１−３と同様に動作するため、説明を省略する。
【００７３】
結果として、図６（ｂ）に示すように、調整項目２１００，３１００が選択されたままである。
（動作例２−２）
図６（ｂ）の状態において、さらにダウンボタン４０５が押されたとする。すると、ダウンボタン４０５に対応する制御コマンドが送信される。動作例１−１に記載したように、この制御コマンドは移動コマンドである。
【００７４】
表示装置１００は、この制御コマンドを受信する（ステップＳ２１）。以下、動作例１−１と同様に動作するため、説明を省略する。結果として、図６（ｃ）に示すように、調整項目１４００，２４００，３４００が選択される。
【００７５】
上記の第１の動作例及び第２の動作例においては、表示システム１を構成する複数の表示装置間において、選択できない調整項目は異なっている。しかし、本発明に係る上記の動作により、表示装置１００，２００，３００の設定を一括して変更する上で生じ得る不具合を解消することができる。
【００７６】
より具体的には、本発明に係る表示装置２００，３００は、項目情報の示す調整項目を選択できない場合に（ステップＳ３２−ＮＯ）、制御コマンドを実行することはない。このため、表示装置２００，３００において、使用者の意図しない調整が行われることはない。
【００７７】
また、本発明に係る表示装置２００，３００は、制御コマンドが移動コマンドであると判定した場合に（Ｓ３３−ＹＥＳ）、項目情報の示す調整項目を選択する（ステップＳ３４）。つまり、表示装置１００において選択された調整項目に相当する調整項目が、表示装置２００，３００において選択される。このため、使用者の意図しない調整項目の選択が行われることはない。
【００７８】
また、表示装置２００は、制御コマンドの実行の有無にかかわらず、制御コマンド及び項目情報を出力する（ステップＳ３６）。そして、表示装置３００は、この制御コマンド及び項目情報に基づいて動作する（ステップＳ３１〜Ｓ３５）。このため、仮に表示装置２００，３００間において選択できない調整項目が異なっている場合であっても、表示装置３００において使用者の意図しない調整が行われることはない。
【００７９】
＜第２実施形態＞
次に、本発明の第２実施形態に係る表示装置６００のブロック図を図７に示す。
【００８０】
表示装置６００は、入力部６１０及び制御部６２０により構成される。
【００８１】
入力部６１０は、入力部２２０と同様のものである。すなわち、入力部６１０には、制御コマンド及び項目情報が入力される。
【００８２】
制御部６２０は、制御部２４０と同様のものである。すなわち、制御部６２０は、入力部６１０に入力された制御コマンド及び項目情報にしたがって、表示装置６００の有する複数の調整項目の設定を変更する。
【００８３】
表示装置６００における制御方法のフローチャートは、図３に示したフローチャートと同じである。このため、表示装置６００における制御方法についての説明は、省略する。
【００８４】
以上、本発明の実施形態について提示し、詳細に説明したが、添付の特許請求の範囲の趣旨又は範囲から逸脱しない限り、さまざまな変更及び修正が可能である。
【符号の説明】
【００８５】
１    表示システム
１００    表示装置（第１の表示装置）
１１０    受信部（第１の受信部）
１２０    入力部（第１の入力部）
１３０    出力部（第１の出力部）
１４０    制御部（第１の制御部）
１５０    画像入力部（第１の画像入力部）
１６０    画像処理部（第１の画像処理部）
１７０    表示部（第１の表示部）
１８０    画像出力部（第１の画像出力部）
２００    表示装置（第２の表示装置）
２１０    受信部（第２の受信部）
２２０    入力部（第２の入力部）
２３０    出力部（第２の出力部）
２４０    制御部（第２の制御部）
２５０    画像入力部（第２の画像入力部）
２６０    画像処理部（第２の画像処理部）
２７０    表示部（第２の表示部）
２８０    画像出力部（第２の画像出力部）
３００    表示装置（第３の表示装置）
３１０    受信部（第３の受信部）
３２０    入力部（第３の入力部）
３３０    出力部（第３の出力部）
３４０    制御部（第３の制御部）
３５０    画像入力部（第３の画像入力部）
３６０    画像処理部（第３の画像処理部）
３７０    表示部（第３の表示部）
３８０    画像出力部（第３の画像出力部）
４００    リモートコントロール装置
４０１    パワーボタン
４０２    アップボタン
４０３    マイナスボタン
４０４    プラスボタン
４０５    ダウンボタン
４０６    セットボタン
４０７    メニューボタン
４０８    ＥＸＩＴボタン
５００    画像出力装置
６００    表示装置
６１０    入力部
６２０    制御部
１０００    表示装置１００のＯＳＤ画面
２０００    表示装置２００のＯＳＤ画面
３０００    表示装置３００のＯＳＤ画面
【図１】
2016133532.tif 000003
【図２】
2016133532.tif 000004
【図３】
2016133532.tif 000005
【図４】
2016133532.tif 000006
【図５】
2016133532.tif 000007
【図６】
2016133532.tif 000008
【図７】
2016133532.tif 000009